(57)【要約】      （修正有）【課題】記録層を保護する保護層の厚みが同一である２種類の光ディスク（例えばＤＶＤとＨＤ−ＤＶＤ）について、光源を切り換えることなく正確に判別する光ディスクの判別方法を提供する。【解決手段】ＨＤ−ＤＶＤはリードインエリアとデータエリアとで記録密度が異なる。一方、ＤＶＤはリードインエリアとデータエリアの記録密度は同一である。ＨＤ−ＤＶＤとＤＶＤの判別にあたっては、リードインエリアとデータエリアとのそれぞれに、ＨＤ−ＤＶＤ用又はＤＶＤ用の光ビームを照射し、リードインエリアからの反射光に基づいて得られるトラッキングエラー（ＴＥ）信号の振幅と、データエリアからの反射光に基づいて得られるＴＥ信号の振幅とを比較し、両者に差が所定の範囲内であればＤＶＤと判別され、両者の差が所定の範囲より大きければＨＤ−ＤＶＤと判別される。【選択図】図５
2008090929.tif 000002
【特許請求の範囲】
【請求項１】
少なくともＤＶＤ用の光源とＨＤ−ＤＶＤ用の光源とを含む複数の光源と、
前記光源から出射される光ビームを光ディスクの記録層に集光する対物レンズと、
前記記録層で反射された反射光を受光する光検出部と、
装置内に挿入される光ディスクの判別を行うディスク判別部と、
を備え、
少なくとも、
データが記録されるデータエリアと該データエリアを管理する管理情報が記録されるリードインエリアとを有する前記記録層と、前記記録層を保護する保護層と、を備えて前記データエリアと前記リードインエリアとで記録密度が同一であるＤＶＤと、
前記記録層と前記保護層とを備え、前記保護層の厚みが前記ＨＤ−ＤＶＤの保護層の厚みと同一で、前記データエリアと前記リードインエリアとで記録密度が異なるＨＤ−ＤＶＤと、
を再生又は記録再生可能に設けられる光ディスク装置において、
前記ディスク判別部は、
前記ＤＶＤ用又は前記ＨＤ−ＤＶＤ用の光源から、光ビームが前記データエリア及び前記リードインエリアのそれぞれに照射された際に前記光検出部で得られる電気信号からトラッキングエラー信号の振幅を検出し、
前記リードインエリアからの反射光に基づいて得られる前記トラッキングエラー信号の振幅と、前記データエリアからの反射光に基づいて得られる前記トラッキングエラー信号の振幅と、を比較することによりＤＶＤとＨＤ−ＤＶＤの判別を行う
ことを特徴とする光ディスク装置。
【請求項２】
データが記録される記録層と、該記録層を保護する保護層と、を備え、前記記録層は少なくとも第１の領域と第２の領域とを有し、前記第１の領域と前記第２の領域とが同一の記録密度に形成される第１光ディスクと、
前記記録層と前記保護層とを備え、前記保護層の厚みが前記第１光ディスクの保護層と同一で、前記記録層は少なくとも第１の領域と第２の領域とを有し、前記第１の領域と前記第２の領域とが異なる記録密度に形成される第２光ディスクと、
を判別する光ディスクの判別方法であって、
前記第１光ディスク又は前記第２光ディスク用の光ビームを前記第１の領域と前記第２の領域とにそれぞれ照射し、
前記光ビームの照射によって前記第１の領域及び前記第２の領域で反射される反射光をそれぞれ電気信号に変換して所定の処理を行い、
前記第１の領域からの反射光の前記所定の処理結果と、前記第２の領域からの反射光の前記所定の処理結果と、に基づいて前記第１光ディスクであるか、前記第２光ディスクであるかを判別することを特徴とする光ディスクの判別方法。
【請求項３】
前記第１の領域はデータが記録されるデータエリアで、前記第２の領域は前記データエリアを管理する管理情報が記録されるリードインエリアであることを特徴とする請求項２に記載の光ディスクの判別方法。
【請求項４】
前記所定の処理は、トラッキングエラー信号の振幅を得る処理であり、
前記第１の領域における前記トラッキングエラー信号の振幅と前記第２の領域における前記トラッキングエラー信号の振幅とを比較することにより、光ディスクの種類を判別することを特徴とする請求項２又は請求項３に記載の光ディスクの判別方法。
【請求項５】
前記第２光ディスクの前記第１の領域の記録密度は、前記第２光ディスクの前記第２の領域の記録密度より高く、前記第２光ディスクの前記第２の領域の記録密度は、前記第１光ディスクの前記第１及び第２の領域の記録密度と略同一となるように形成され、
前記第１の領域と前記第２の領域とにそれぞれ照射される光ビームは、前記第１光ディスクの再生に使用される波長の光ビームであり、
前記所定の処理は、前記第１の領域及び前記第２の領域のそれぞれについて、情報の読み取りが可能であるか否かを判断可能とする処理であることを特徴とする請求項２又は請求項３に記載の光ディスクの判別方法。
【請求項６】
異なる波長の光ビームを出射する複数の光源と、
該光源から出射される光ビームを光ディスクの記録層に集光する対物レンズと、
前記記録層で反射された反射光を受光する光検出部と、
装置内に挿入される光ディスクの判別を行うディスク判別部と、
を備える光ディスク装置において、
少なくとも、
データが記録される記録層と、該記録層を保護する保護層と、を備え、前記記録層は少なくとも第１の領域と第２の領域とを有し、前記第１の領域と前記第２の領域とは同一の記録密度に形成される第１光ディスクと、
前記記録層と前記保護層とを備え、前記保護層の厚みが前記第１光ディスクの保護層と同一で、前記記録層は少なくとも第１の領域と第２の領域とを有し、前記第１の領域と前記第２の領域とが異なる記録密度に形成される第２光ディスクと、
を再生又は記録再生可能に設けられ、
前記ディスク判別部は、
前記第１光ディスク又は前記第２光ディスク用の光ビームが、前記光源から前記第１の領域と前記第２の領域とにそれぞれ照射された際に、前記光検出部で得られる電気信号について所定の処理を行い、
前記第１の領域からの反射光の前記所定の処理結果と、前記第２の領域からの反射光の前記所定の処理結果と、に基づいて前記第１光ディスクと前記第２光ディスクとの判別を行う
ことを特徴とする光ディスク装置。
【請求項７】
前記第１の領域はデータが記録されるデータエリアで、前記第２の領域は前記データエリアを管理する管理情報が記録されるリードインエリアであることを特徴とする請求項６に記載の光ディスク装置。
【請求項８】
前記所定の処理は、トラッキングエラー信号の振幅を得る処理であり、
前記第１の領域における前記トラッキングエラー信号の振幅と前記第２の領域における前記トラッキングエラー信号の振幅とを比較することにより、光ディスクの種類を判別することを特徴とする請求項６又は請求項７に記載の光ディスク装置。
【請求項９】
前記第２光ディスクの前記第１の領域の記録密度は、前記第２光ディスクの前記第２の領域の記録密度より高く、前記第２光ディスクの前記第２の領域の記録密度は、前記第１光ディスクの前記第１及び第２の領域の記録密度と略同一となるように形成され、
前記第１の領域と前記第２の領域とにそれぞれ照射される光ビームは、前記第１光ディスクの再生に使用される波長の光ビームであり、
前記所定の処理は、前記第１の領域及び前記第２の領域のそれぞれについて、情報の読み取りが可能であるか否かを判断可能とする処理であることを特徴とする請求項６又は請求項７に記載の光ディスク装置。
【発明の詳細な説明】
【技術分野】
【０００１】
本発明は、光ディスクの種類の判別方法に関する。また、本発明は光ディスクの種類を判別する方法を備える光ディスク装置に関する。
【背景技術】
【０００２】
近年、ＤＶＤ（Ｄｉｇｉｔａｌ  Ｖｅｒｓａｔｉｌｅ  Ｄｉｓｃ：多目的ディスク）は、広く普及しているが、最近では、光ディスクの情報量を更に増やすために、光ディスクの高密度化に関する研究が進められ、ＨＤ−ＤＶＤ（Ｈｉｇｈ  Ｄｅｆｉｎｉｔｉｏｎ  ＤＶＤ：高密度ＤＶＤ）といった高密度化された光ディスクも登場している。
【０００３】
光ディスクの情報の記録や再生は光ディスク装置において行われるが、１つの装置で複数種類の光ディスクの記録や再生を行える光ディスク装置が多く開発されており、ＤＶＤとＨＤ−ＤＶＤといった２種類の光ディスクに対応する光ディスク装置も提案されている。そして、このような複数種類の光ディスクに対応する光ディスク装置では、装置内に光ディスクが挿入されると、まず、光ディスクの種類の判別が行われる。
【０００４】
光ディスクの種類の判別方法としては、従来、種々の方法が提案されており、例えば、特許文献１や特許文献２に紹介されるように、レーザ光源から出射されたレーザ光を集束させながら光ディスクへ導く対物レンズを光軸方向に移動させ、対物レンズの光軸方向への移動中において光ディスクによって反射されたレーザ光によって生成されるフォーカスエラー信号（ＦＥ信号）が示す所定のＳ字波形の発生タイミングやその振幅等により、光ディスクの種類を判別方法が提案されている。
【特許文献１】特開２００６−１３４３６７号公報
【特許文献２】特開２０００−３１１３５７号公報
【発明の開示】
【発明が解決しようとする課題】
【０００５】
しかしながら、特許文献１に示されるように、対物レンズの光軸方向への移動中において光ディスクによって反射されたレーザ光によって生成されるフォーカスエラー信号（ＦＥ信号）が示す所定のＳ字波形の発生タイミングによって光ディスクの種類を判別する方法を用いて、ＤＶＤとＨＤ−ＤＶＤの判別を行おうとすると、ＤＶＤとＨＤ−ＤＶＤは、記録層を保護する透明カバー層の厚みがいずれも０．６ｍｍと同一であるために、Ｓ字波形の発生タイミングが同じとなって、ＤＶＤとＨＤ−ＤＶＤの判別が困難となる。
【０００６】
また、特許文献１の場合や、特許文献２に示されるように、Ｓ字波形の振幅の大きさを利用して光ディスクの判別を行う構成においては、光ディスクの種類を判別するために光ディスクに照射するレーザ光の波長の種類を複数切り換える必要がある。この場合、レーザ光の波長の種類を切り換える際に、レーザ光源の出力が安定するまでの待ち時間が必要となる等、光ディスクの判別に要する時間が長くなる場合がある。この点、ＤＶＤとＨＤ−ＤＶＤでは使用される光源の波長が異なっており（ＤＶＤでは例えば６５０ｎｍ、ＨＤ−ＤＶＤでは例えば４０５ｎｍ）、ＤＶＤとＨＤ−ＤＶＤとについて情報の記録や再生を行える光ディスク装置においては、ＤＶＤとＨＤ−ＤＶＤの判別に時間を要するといった問題がある。
【０００７】
以上の問題点を鑑みて、本発明の目的は、記録層を保護する保護層の厚みが同一である２種利の光ディスク（例えばＤＶＤとＨＤ−ＤＶＤ）について、光源を切り換えることなく正確に判別する光ディスクの判別方法を提供することである。また、本発明の他の目的は、そのような光ディスクの判別方法が適用される光ディスク装置を提供することである。
【課題を解決するための手段】
【０００８】
上記目的を達成するために本発明は、少なくともＤＶＤ用の光源とＨＤ−ＤＶＤ用の光源とを含む複数の光源と、前記光源から出射される光ビームを光ディスクの記録層に集光する対物レンズと、前記記録層で反射された反射光を受光する光検出部と、装置内に挿入される光ディスクの判別を行うディスク判別部と、を備え、少なくとも、データが記録されるデータエリアと該データエリアを管理する管理情報が記録されるリードインエリアとを有する前記記録層と、前記記録層を保護する保護層と、を備えて前記データエリアと前記リードインエリアとで記録密度が同一であるＤＶＤと、前記記録層と前記保護層とを備え、前記保護層の厚みが前記ＨＤ−ＤＶＤの保護層の厚みと同一で、前記データエリアと前記リードインエリアとで記録密度が異なるＨＤ−ＤＶＤと、を再生又は記録再生可能に設けられる光ディスク装置において、前記ディスク判別部は、前記ＤＶＤ用又は前記ＨＤ−ＤＶＤ用の光源から、光ビームが前記データエリア及び前記リードインエリアのそれぞれに照射された際に前記光検出部で得られる電気信号からトラッキングエラー信号の振幅を検出し、前記リードインエリアからの反射光に基づいて得られる前記トラッキングエラー信号の振幅と、前記データエリアからの反射光に基づいて得られる前記トラッキングエラー信号の振幅と、を比較することによりＤＶＤとＨＤ−ＤＶＤの判別を行うことを特徴としている。
【０００９】
また、本発明は、上記目的を達成するために、データが記録される記録層と、該記録層を保護する保護層と、を備え、前記記録層は少なくとも第１の領域と第２の領域とを有し、前記第１の領域と前記第２の領域とが同一の記録密度に形成される第１光ディスクと、前記記録層と前記保護層とを備え、前記保護層の厚みが前記第１光ディスクの保護層と同一で、前記記録層は少なくとも第１の領域と第２の領域とを有し、前記第１の領域と前記第２の領域とが異なる記録密度に形成される第２光ディスクと、を判別する光ディスクの判別方法であって、前記第１光ディスク又は前記第２光ディスク用の光ビームを前記第１の領域と前記第２の領域とにそれぞれ照射し、前記光ビームの照射によって前記第１の領域及び前記第２の領域で反射される反射光をそれぞれ電気信号に変換して所定の処理を行い、前記第１の領域からの反射光の前記所定の処理結果と、前記第２の領域からの反射光の前記所定の処理結果と、に基づいて前記第１光ディスクであるか、前記第２光ディスクであるかを判別することを特徴としている。
【００１０】
また、本発明は、上記構成の光ディスクの判別方法において、前記第１の領域はデータが記録されるデータエリアで、前記第２の領域は前記データエリアを管理する管理情報が記録されるリードインエリアであることを特徴としている。
【００１１】
また、本発明は、上記構成の光ディスクの判別方法において、前記所定の処理は、トラッキングエラー信号の振幅を得る処理であり、前記第１の領域における前記トラッキングエラー信号の振幅と前記第２の領域における前記トラッキングエラー信号の振幅とを比較することにより、光ディスクの種類を判別することを特徴としている。
【００１２】
また、本発明は、上記構成の光ディスクの判別方法において、前記第２光ディスクの前記第１の領域の記録密度は、前記第２光ディスクの前記第２の領域の記録密度より高く、前記第２光ディスクの前記第２の領域の記録密度は、前記第１光ディスクの前記第１及び第２の領域の記録密度と略同一となるように形成され、前記第１の領域と前記第２の領域とにそれぞれ照射される光ビームは、前記第１光ディスクの再生に使用される波長の光ビームであり、前記所定の処理は、前記第１の領域及び前記第２の領域のそれぞれについて、情報の読み取りが可能であるか否かを判断可能とする処理であることを特徴としている。
【００１３】
また、本発明は、上記目的を達成するために、異なる波長の光ビームを出射する複数の光源と、該光源から出射される光ビームを光ディスクの記録層に集光する対物レンズと、前記記録層で反射された反射光を受光する光検出部と、装置内に挿入される光ディスクの判別を行うディスク判別部と、を備える光ディスク装置において、少なくとも、データが記録される記録層と、該記録層を保護する保護層と、を備え、前記記録層は少なくとも第１の領域と第２の領域とを有し、前記第１の領域と前記第２の領域とは同一の記録密度に形成される第１光ディスクと、前記記録層と前記保護層とを備え、前記保護層の厚みが前記第１光ディスクの保護層と同一で、前記記録層は少なくとも第１の領域と第２の領域とを有し、前記第１の領域と前記第２の領域とが異なる記録密度に形成される第２光ディスクと、を再生又は記録再生可能に設けられ、前記ディスク判別部は、前記第１光ディスク又は前記第２光ディスク用の光ビームが、前記光源から前記第１の領域と前記第２の領域とにそれぞれ照射された際に、前記光検出部で得られる電気信号について所定の処理を行い、前記第１の領域からの反射光の前記所定の処理結果と、前記第２の領域からの反射光の前記所定の処理結果と、に基づいて前記第１光ディスクと前記第２光ディスクとの判別を行うことを特徴としている。
【００１４】
また、本発明は、上記構成の光ディスク装置において、前記第１の領域はデータが記録されるデータエリアで、前記第２の領域は前記データエリアを管理する管理情報が記録されるリードインエリアであることを特徴としている。
【００１５】
また、本発明は、上記構成の光ディスク装置において、前記所定の処理は、トラッキングエラー信号の振幅を得る処理であり、前記第１の領域における前記トラッキングエラー信号の振幅と前記第２の領域における前記トラッキングエラー信号の振幅とを比較することにより、光ディスクの種類を判別することを特徴としている。
【００１６】
また、本発明は、上記構成の光ディスク装置において、前記第２光ディスクの前記第１の領域の記録密度は、前記第２光ディスクの前記第２の領域の記録密度より高く、前記第２光ディスクの前記第２の領域の記録密度は、前記第１光ディスクの前記第１及び第２の領域の記録密度と略同一となるように形成され、前記第１の領域と前記第２の領域とにそれぞれ照射される光ビームは、前記第１光ディスクの再生に使用される波長の光ビームであり、前記所定の処理は、前記第１の領域及び前記第２の領域のそれぞれについて、情報の読み取りが可能であるか否かを判断可能とする処理であることを特徴としている。
【発明の効果】
【００１７】
本発明の第１の構成によれば、ＤＶＤが光ディスク装置に挿入されている場合、ＤＶＤはデータエリアとリードインエリアの記録密度が同一に設けられるために、データエリア及びリードインエリアからの反射光に基づいて得られるトラッキングエラー（ＴＥ）信号の振幅は同じとなる。一方、ＨＤ−ＤＶＤが光ディスク装置に挿入されている場合、ＨＤ−ＤＶＤはデータエリアとリードインエリアの記録密度が異なるように設けられているために、データエリアからの反射光に基づいて得られるＴＥ信号の振幅とリードインエリアからの反射光に基づいて得られるＴＥ信号の振幅は異なったものとなる。このため、記録層を保護する保護層の厚みが同一であるＤＶＤとＨＤ−ＤＶＤとの判別を光源の切り換えを行わずに、正確に判別することが可能な光ディスク装置を提供できる。
【００１８】
また、本発明の第２の構成によれば、２つの光ディスクの間で、第１の領域と第２の領域とにおける記録密度の構成が異なることを利用して、１つの光源から出射される光ビームを用いて光ディスクの判別が可能となり、記録層を保護する保護層の厚みが同一である第１光ディスクと第２光ディスクの判別を光源の切り換えを行わずに正確に行うことが可能となる。
【００１９】
また、本発明の第３の構成によれば、上記第２の構成の光ディスクの判別方法において、現行の規格では、第１光ディスクの構成がＤＶＤの構成に相当し、第２光ディスクの構成がＨＤ−ＤＶＤの構成に相当することとなるために、記録層を保護する保護層の厚みが同一であるＨＤ−ＤＶＤとＤＶＤの判別を光源の切り換えを行わずに正確に行うことが可能となる。
【００２０】
また、本発明の第４及び第５の構成によれば、上記第２又第３の構成の光ディスクの判別方法において、従来光ディスク装置に備えられる構成を用いて、記録層を保護する保護層の厚みが同一である第１光ディスクと第２光ディスクを光源の切り換えを行わずに正確に判別する方法の提供が可能となる。
【００２１】
また、本発明の第６の構成によれば、光ディスク装置に挿入されている光ディスクが第１光ディスクであるか第２光ディスクであるかの判別を、２つの光ディスクの間で第１の領域と第２の領域とにおける記録密度の構成が異なることを利用して、１つの光源から出射される光ビームを用いて判別可能となり、記録層を保護する保護層の厚みが同一である第１光ディスクと第２光ディスクの判別を光源の切り換えを行わずに正確に行える光ディスク装置の提供が可能となる。
【００２２】
また、本発明の第７の構成によれば、上記第６の構成の光ディスク装置において、現行の規格では、第１光ディスクの構成がＤＶＤの構成に相当し、第２光ディスクの構成がＨＤ−ＤＶＤの構成に相当することとなるために、記録層を保護する保護層の厚みが同一であるＨＤ−ＤＶＤとＤＶＤの判別を光源の切り換えを行わずに正確に行える光ディスク装置の提供が可能となる。
【００２３】
また、本発明の第８及び第９の構成によれば、上記第６又は第７の構成の光ディスク装置において、従来光ディスク装置に備えられる構成を用いて、記録層を保護する保護層の厚みが同一である第１光ディスクと第２光ディスクを判別可能とする構成を容易に実現できる。
【発明を実施するための最良の形態】
【００２４】
以下に本発明の内容を詳細に説明するが、ここで示す実施形態は一例であり、本発明はここに示す実施形態に限定されるものではない。
【００２５】
（第１実施形態）
まず、本発明の光ディスクの判別方法が適用される第１実施形態の光ディスク装置について説明する。図１は、第１実施形態の光ディスク装置１の構成を示すブロック図で、光ディスク装置１は、光ディスク１４の情報の再生、及び光ディスク１４への情報の記録を可能に設けられている。なお、光ディスク装置１が記録再生を行える光ディスク１４の種類は、ＤＶＤ及びＨＤ−ＤＶＤである。
【００２６】
２は、スピンドルモータであり、光ディスク１４はスピンドルモータ２の上部に設けられるチャック部（図示せず）に着脱可能に保持される。そして、光ディスク１４の情報の記録再生を行う際に、スピンドルモータ２は光ディスク１４を連続回転する。スピンドルモータ２の回転制御は、スピンドルモータ制御部３によって行われる。
【００２７】
４は、光ピックアップであり、光源から出射されるレーザ光を光ディスク１４に照射し、光ディスク１４への情報の書き込みと、光ディスク１４に記録されている情報の読み取りを可能とする。図２は、光ピックアップ４の光学系を示す概略図である。図２に示すように、光ピックアップ４は、第１光源２１と、第２光源２２と、色合成プリズム２３と、コリメートレンズ２４と、ビームスプリッタ２５と、対物レンズ２６と、集光レンズ２８と、光検出器２９と、を備える。なお、光ピックアップを構成する光学系の構成はこれに限らず、もちろん種々の変更が可能である。
【００２８】
第１光源２１及び第２光源２２はいずれもレーザダイオード（ＬＤ）であるが、第１光源２１はＨＤ−ＤＶＤに対応する光源であって、例えば波長４０５ｎｍ帯のレーザ光を出射し、第２光源２２はＤＶＤに対応する光源であって、例えば波長６５０ｎｍ帯のレーザ光を出射する。
【００２９】
光ピックアップ４において、光源２１、２２から出射された光ビームは、色合成プリズム２３で光軸を同一とされ、コリメートレンズ２４で平行光となり、ビームスプリッタ２５を透過し、対物レンズ２６によって光ディスク１４の情報が記録される記録層１４ａに集光される。記録層１４ａで反射された反射光は、対物レンズ２６通過し、ビームスプリッタ２５で反射されて集光レンズ２８によって光検出器２９の受光部に集光される。光検出器２９は受光した光ビームが有する光情報を電気信号に変換する。
【００３０】
図１に戻って、スライドモータ制御部５は、光ピックアップ４が移動可能となるように設けられる図示しないスライドモータの駆動を制御し、これにより光ピックアップ４の半径方向の移動が制御される。
【００３１】
ＲＦ信号処理部６は、光ピックアップ４の光検出器２９で得られるＲＦ信号を処理し、処理した信号を復調部７に供給する。
【００３２】
復調部７は、データの復調を行うとともに、データのエラーを検出し、エラーが検出された場合において訂正可能であればデータの訂正処理を行い、再生データをインターフェース部８に供給する。なお、訂正処理が不可能な再生エラーが発生した場合には周知の方法でデータの再読み取り（リトライ）が実行される。また、復調部７はデータの読み取りエラーの発生割合であるエラーレートを全体制御部１３に供給する役割も果たす。
【００３３】
インターフェース部８は、復調部７から供給された再生データを図示しないパソコン等の外部機器に出力する。
【００３４】
フォーカスエラー信号処理部９は、光ピックアップ４の光検出器２９で検出される信号を用いてフォーカスエラー信号を生成する。図３は光検出器２９の検出面の構成を示す平面図である。なお、図３は集光レンズ２８側から見た図である。光検出器２９は、図３に示すように４分割された検出面Ａ、Ｂ、Ｃ、Ｄを有し、各検出面Ａ〜Ｄからの検出信号の対角和の差（Ａ＋Ｃ）−（Ｂ＋Ｄ）によってフォーカスエラー信号を生成する。フォーカスエラー信号処理部９で生成されたフォーカスエラー信号は、アクチュエータ制御部１１に供給される。
【００３５】
トラッキングエラー信号処理部１０は、光ピックアップ４の光検出器２９で検出される信号を用いてトラッキングエラー信号を生成する。トラッキングエラー信号は、各検出面Ａ〜Ｄ（図３参照）からの検出信号の左右和の差（Ａ＋Ｂ）−（Ｃ＋Ｄ）によって生成される。トラッキングエラー信号処理部１０で生成されたトラッキングエラー信号は、アクチュエータ制御部１１に供給される。
【００３６】
また、トラッキングエラー信号処理部１０で生成されたトラッキングエラー信号は、光ディスクの種類を判別する際に、ディスク判別部１５に供給される。ディスク判別部１５は、トラッキングエラー信号の振幅を用いて光ディスク装置１に挿入されている光ディスク１４がＤＶＤであるか、ＨＤ−ＤＶＤであるかの判別を行う。ディスク判別部１５における光ディスク１４の判別方法の詳細については後述する。
【００３７】
なお、本実施形態においては、光検出器２９の検出面を４分割することによりフォーカスエラー信号及びトラッキングエラー信号を得る構成としたが、フォーカスエラー信号及びトラッキングエラー信号を得る構成はこれに限定される趣旨ではなく、本発明の目的を逸脱しない範囲で種々の変更が可能である。すなわち、例えば、フォーカスエラー信号について、いわゆるスポットサイズ法で得て、トラッキングエラー信号について、いわゆるコレクトファーフィールド法で得るような構成等としても構わない。
【００３８】
アクチュエータ制御部１１は、フォーカスエラー信号処理部９及びトラッキングエラー信号処理部１０から送られてきた信号に基づいて、対物レンズ２６が搭載されるアクチュエータ２７（いずれも図２参照）に駆動信号を供給する。駆動信号が供給されたアクチュエータ２７は、信号に基づいて各部を作動させて、対物レンズ２６をその光軸方向と平行なフォーカス方向に移動してフォーカスを合わせるフォーカス制御や、対物レンズ２６を光ディスク１４の半径方向と平行な方向に移動してレーザ光のスポット位置を光ディスク１４に形成されるトラック位置に合わせるトラッキング制御を行う。
【００３９】
アクチュエータ制御部１１は、光ディスク装置１に挿入された光ディスク１４の種類の判別を行う場合やフォーカスの引き込み動作を行う場合等にも対物レンズ２７の移動の制御を行う。
【００４０】
その他、全体制御部１３は、スピンドルモータ制御部３、スライドモータ制御部５、ＲＦ信号処理部６、復調部７、インターフェース部８、フォーカスエラー信号処理部９、トラッキングエラー信号処理部１０、アクチュエータ制御部１１、及び制御に必要な情報を記憶する記憶部１２等を制御して、装置全体のコントロールを行う。
【００４１】
次に、光ディスク装置１で記録再生可能な光ディスク１４であるＤＶＤとＨＤ−ＤＶＤの構成について例を挙げて説明する。図４は、光ディスク１４の記録層１４ａの構成例を示す概略平面図である。図４に示すように、光ディスク１４の記録層１４ａには、内周側に存在するリードインエリア３１と、リードインエリア３１の外周側に存在するデータエリア３２と、データエリア３２の外周側に存在するリードアウトエリア３３と、が形成される。なお、光ディスク１４の記録層１４ａの表面には、記録層１４ａを保護する保護層１４ｂ（図２参照）が記録層１４ａを覆うように設けられており、この保護層１４ｂの厚みは、ＤＶＤとＨＤ−ＤＶＤでは同じである。
【００４２】
リードインエリア３１には、光ディスク１４の情報ないしデータエリア３２を管理するための管理情報等が記録される。データエリア３２には、画像データ、音声データ、コンテンツデータ、コンピュータプログラムなど、主に再生ないし実行の対象となるデータが記録される。リードアウトエリア３３は、データエリア３２の終端を示す領域であり、特に情報は記録されない。
【００４３】
このように構成されるＤＶＤとＨＤ−ＤＶＤとについて、次のような相違点が存在する。すなわち、ＤＶＤにおいては、リードインエリア３１とデータエリア３２とは同じ記録密度（いずれも最短マーク長０．４μｍ、トラックピッチ０．７４μｍ）に形成されるが、ＨＤ−ＤＶＤにおいては、リードインエリア３１とデータエリア３２とで異なる記録密度とされ、リードインエリア３１は低記録密度（最短マーク長０．４０８μｍ、トラックピッチ０．６８μｍ）に、データエリアは高記録密度（最短マーク長０．１８μｍ、トラックピッチ０．３４μｍ）に形成される。
【００４４】
本実施形態においては、このＤＶＤとＨＤ−ＤＶＤとで、リードインエリア３１とデータエリア３２との記録密度の関係が異なることを利用して、記録層１４ａを保護する保護層１４ｂの厚みが同一であるＤＶＤとＨＤ−ＤＶＤとの判別を行うこととしており、光ディスク装置１においては、以下のように示すような方法で、光ディスク装置１に挿入された光ディスク１４が、ＤＶＤとＨＤ−ＤＶＤとのいずれであるかを判別する。
【００４５】
図５は、光ディスク装置１において、光ディスク１４の種類を判別する手順を示すフローチャートである。以下、図５のフローチャートに従って光ディスク装置１における光ディスク１４の判別について説明する。
【００４６】
光ディスク装置１に光ディスク１４が挿入されると、光ピックアップ４がスライドモータ制御部（いずれも図１参照）によって制御される図示しないスライドモータにより、リードインエリア３１（図４参照）側の所定の位置に移動される（ステップＳ１）。光ピックアップ４が所定の位置に移動されると光ピックアップ４に備えられる第２光源２２（ＤＶＤ用のＬＤ）がＯＮされてレーザ光が出射される（ステップＳ２）。ここで出射されたレーザ光は光ディスク１４のリードインエリア３１に照射される。なお、ここでは第２光源２２をＯＮする構成としているが、第１光源（ＨＤ−ＤＶＤ用のＬＤ）をＯＮする構成としても構わない。
【００４７】
レーザ光がリードインエリア３１に照射されると、対物レンズ２６を搭載するアクチュエータ２７（いずれも図２参照）がアクチュエータ制御部１１の制御によって移動されて、レーザ光のフォーカスが光ディスク１４の記録層１４ａ合わされ、フォーカス制御が開始される（ステップＳ３）。次に、トラッキング制御が行われない状態で、光ディスク１４の偏心のみに依存する光ディスク１４の一回転周期のトラッキングエラー信号が生成されて、ディスク判別部１５（図１参照）でトラッキングエラー信号の振幅が検出される（ステップＳ４）。ここで検出されたトラッキングエラー信号の振幅は記憶部１２に記憶される。
【００４８】
なお、ここでは、光ディスク１４の中心とスピンドルモータ２（図１参照）の回転軸とのずれで生じる偏心によって、光ディスク１４の記録層１４ａに照射されるレーザ光が光ディスク１４のトラックを横切ることを利用してトラッキングエラー信号を得る構成としているが、偏心がない場合もあり得るために、対物レンズ２６がトラッキング方向（光ディスク１４の半径方向と平行な方向）に振動するように、アクチュエータ２７によって対物レンズ２６に所定の振動を加える構成等としても構わない。
【００４９】
リードインエリア３１におけるトラッキングエラー信号の振幅が検出されると、光ピックアップ４がスライドモータによってデータエリア３２（図４参照）側の所定の位置に移動される（ステップＳ５）。光ピックアップ４が所定の位置に移動されると、データエリア３２にレーザ光が照射され、トラッキング制御が行われない状態で、光ディスク１４の偏心のみに依存する光ディスク１４の一回転周期のトラッキングエラー信号が生成されて、ディスク判別部１５でトラッキングエラー信号の振幅が検出される（ステップＳ６）。ここで検出されたトラッキングエラー信号の振幅は記憶部１２に記憶される。なお、ステップＳ４の後、ステップＳ６が実施されるまでの間においては、第２光源２２はＯＮされた状態であり、フォーカス制御も実行されている。
【００５０】
次に、ディスク判別部１５において、リードインエリア３１で検出したトラッキングエラー信号の振幅と、データエリア３２で検出したトラッキングエラー信号の振幅の差が算出される（ステップＳ７）。算出されたトラッキングエラー信号の振幅が所定の範囲内であるか否かが確認される（ステップＳ８）。
【００５１】
ここで、トラッキングエラー信号の振幅と光ディスク１４の記録層１４ａの記録密度との関係について説明しておく。トラッキングエラー信号の振幅の大きさは、光ディスク１４の記録層１４ａに形成されるトラックピッチと関係を有しており、トラックピッチの数が増加するとトラッキングエラー信号の振幅の大きさは減少する。すなわち、光ディスク１４の記録層１４ａの記録密度が大きくなると、トラッキングエラー信号の振幅は小さくなる。
【００５２】
このため、リードインエリア３１とデータエリア３２とで記録密度が同じ場合（ＤＶＤが相当する）には、トラッキングエラー信号の振幅は同一となるが、リードインエリア３１の方がデータエリア３２に比べて記録密度が小さいような場合（ＨＤ−ＤＶＤが相当する）には、リードインエリア３１で得られるトラッキングエラー信号の振幅の方が、データエリア３２で得られるトラッキングエラー信号の振幅より大きくなる。従って、ステップＳ８における所定の範囲を、リードインエリア３１とデータエリア３２とが同一の記録密度であると見なせる範囲内のものとして決定しておけば、トラッキングエラー信号の振幅の差によって、ＤＶＤとＨＤ−ＤＶＤの判別が可能となる。
【００５３】
すなわち、ステップＳ８において、トラッキングエラー信号の振幅の差が所定の範囲内である場合には、リードインエリア３１とデータエリア３２の記録密度が同一であると見なせるために、ＤＶＤであると判別される（ステップＳ９）。一方、トラッキングエラー信号の振幅の差が所定の範囲内でない場合には、リードインエリア３１とデータエリア３２とで記録密度が異なると見なされるために、ＨＤ−ＤＶＤと判別される（ステップＳ１０）。
【００５４】
なお、上述した記録密度の違いにより発生するトラッキングエラー信号の振幅値の変化と比べると非常に小さいものであるが、光ディスク１４の記録層１４ａにおけるデータ記録状態の違い（例えば、データが記録されているか否か）によって記録層１４ａにおける反射率が変化することに起因して、トラッキングエラー信号の振幅値も若干変化する。このため、上述した所定の範囲を決定する際に、このデータ記録状態の違いによって発生する差を見込んで決定すると良い。
【００５５】
また、このようなデータエリア３２にデータが記録されているか否かの違いで発生するトラッキングエラー信号の振幅値の違いを見込んで、ステップＳ４及びステップＳ８で検出したトラッキングエラー信号の振幅値それぞれについて、それぞれの領域（リードインエリア３１、データエリア３２）で得られる全反射量で割って正規化し、その値を比較する構成等としても良い。
【００５６】
（第２実施形態）
次に、本発明の光ディスクの判別方法が適用される第２実施形態の光ディスク装置について説明する。図６は、第２実施形態の光ディスク装置５１の構成を示すブロック図である。光ディスク装置５１も、第１実施形態の光ディスク装置１と同様にＤＶＤ及びＨＤ−ＤＶＤを記録再生可能である。以下、第１実施形態の光ディスク装置１と重複する部分については同一の符号を付し、特に説明する必要が無い場合にはその説明を省略する。
【００５７】
第１実施形態の光ディスク装置１においては、ディスク判別部１５は、トラッキングエラー信号処理部１０で得られるトラッキングエラー信号に関する情報を受けていたが、第２実施形態の光ディスク装置５１においては、ディスク判別部１５は、トラッキングエラー信号処理部１０から情報を受けることはなく、復調部７からの情報を受けて光ディスク１４の種類の判別を行う構成となっている。この点について、以下説明する。
【００５８】
復調部７は、第１実施形態の場合と同様に、データの復調を行うとともに、データのエラーを検出し、エラーが検出された場合において訂正可能であればデータの訂正処理を行い、再生データをインターフェース部８に供給する。なお、訂正処理が不可能な再生エラーが発生した場合には周知の方法でデータの再読み取り（リトライ）が実行される。また、復調部７はデータの読み取りエラーの発生割合であるエラーレートを全体制御部１３に供給する役割も果たす。
【００５９】
そして、本実施形態においては、復調部７は、第１実施形態の場合と異なり、光ディスク１４の種類を判別する際に、エラーレートをディスク判別部１５に供給する構成となっている。なお、データの訂正が不可能である再生エラーが出た場合のように、エラーレートが得られない場合があるが、このような場合には、例えば、エラーレートが１００％である等とし、エラーレートの形で供給するように構成されている。
【００６０】
ディスク判別部１５は、復調部７から供給されたデータに基づいて光ディスク１４の種類（ＤＶＤであるか、ＨＤ−ＤＶＤであるか）を判別するが、これについては、図７に示すフローチャートを用いて説明する。なお、図７は、光ディスク装置５１において、光ディスク１４の種類を判別する手順を示すフローチャートである。
【００６１】
光ディスク装置５１に光ディスク１４が挿入されると、光ピックアップ４が、スライドモータ制御部（いずれも図１参照）によって制御される図示しないスライドモータにより、リードインエリア３１（図４参照）側の所定の位置に移動される（ステップＳ１１）。光ピックアップ４が所定の位置に移動されると光ピックアップ４に備えられる第２光源２２（ＤＶＤ用のＬＤ）がＯＮされてレーザ光が出射される（ステップＳ１２）。ここで出射されたレーザ光は光ディスク１４のリードインエリア３１に照射される。
【００６２】
レーザ光がリードインエリア３１に照射されると、対物レンズ２６を搭載するアクチュエータ２７（いずれも図２参照）がアクチュエータ制御部１１の制御によって移動されて、レーザ光のフォーカスが光ディスク１４の記録層１４ａ合わされ、フォーカス制御が開始される（ステップＳ１３）。これに続いて、トラッキング制御も開始される（ステップＳ１４）。
【００６３】
フォーカス制御及びトラッキング制御が開始されると、再生（ＲＦ）信号の収集が開始されて復調部７からディスク判別部１５にエラーレートが供給され、ディスク判別部１５はその情報によって、データの読み取りが可能であるか否かを判断する（ステップＳ１５）。データの読み取りが可能であるか否かは、エラーレートの値が予め試験等を行って決定した所定の値以下の場合にはデータの読み取り可能と判断し、エラーレートが所定の値より大きい場合にはデータの読み取り不可能と判断する。なお、光ディスク再生信号の収集時間は、データの読み取りが可能か否かが判断できる短時間で良い。
【００６４】
ここで、ＤＶＤ及びＨＤ−ＤＶＤのリードインエリア３１は、記録密度にやや違いがあるものの、同程度の記録密度に形成されているために、ＤＶＤ用のレーザ光を照射した場合にいずれも読み取り可能と判断される（すなわち、エラーレートが所定の値以下となる）。このため、光ディスク装置５１にＤＶＤ及びＨＤ−ＤＶＤが挿入されている場合には、ステップＳ１４においてデータの読み取り不可能となることは原則としてない。ただし、光ディスク１４の傷や汚れ等、又はＤＶＤ、ＨＤ−ＤＶＤのどちらでもない光ディスクが光ディスク装置５１内に挿入されていることにより、データの読み取りが不可能と判断される場合もあり、この場合には、光ディスク１４が光ディスク装置５１から排出される（ステップＳ１６）。
【００６５】
なお、本実施形態のように、ステップＳ１５において、データの読み取りが不可能と判断された時点で、即、光ディスク装置５１から光ディスク１４を排出する構成とせず、光ピックアップ４の位置をリードインエリア３１内で複数の位置に動かし、それぞれの場所で、いずれもデータの読み取り不可能と判断された場合にのみ、光ディスク装置５１の外に光ディスク１４を排出する構成等としても良い。
【００６６】
光ディスク１４のデータの読み取りが可能であると判断された場合には、光ピックアップ４がスライドモータによってデータエリア３２（図４参照）側の所定の位置に移動される（ステップＳ１７）。光ピックアップ４が所定の位置に移動されると、再生（ＲＦ）信号の収集が開始されて、復調部７からディスク判別部１５にエラーレートが供給され、ディスク判別部１５はその情報によってデータの読み取りが可能であるか否かを判断する（ステップＳ１８）。なお、この場合においても、再生信号の収集時間は、データの読み取りが可能か否かが判断できる短時間で良い。
【００６７】
ここで、ＤＶＤ用のレーザ光が光ディスク１４に照射されているために、ＤＶＤが光ディスク装置５１に挿入されている場合には、エラーレートが所定の値以下となってデータ読み取り可能と判断される。一方、ＨＤ−ＤＶＤが光ディスク装置５１に挿入されている場合には、データエリア３２はＤＶＤに比べて高記録密度に構成されるために、符号間干渉の影響によりエラーレートが極端に高くなり、所定の値よりも大きくなってデータの読み取りが不可能と判断される。
【００６８】
従って、ステップＳ１８において、データの読み取りが可能と判断された場合には、光ディスク装置５１に挿入されている光ディスク１４は、リードインエリア３１及びデータエリア３２の両方でデータの読み取りが可能であるために、リードインエリア３１とデータエリア３２の記録密度が同一であると判断されて、ＤＶＤと判別される（ステップＳ１９）。一方、ステップＳ１８において、データの読み取りが不可能と判断された場合には、光ディスク装置５１に挿入されている光ディスク１４は、リードインエリア３１とデータエリア３２とで記録密度が異なるものと判断されて、ＨＤ−ＤＶＤと判別される（ステップＳ２０）。
【００６９】
なお、ステップＳ１８におけるデータの読み取りが可能であるか否かの判断時において、ＤＶＤであるにも拘わらず、データエリア３２の一部に傷や汚れ等が発生しており、これが原因となってデータの読み取りが不可能と判断される場合も考えられる。このため、データの読み取りが可能であるかの判断にあたって、複数の位置でＲＦ信号の収集を行い、光ディスク１４の判別を行う構等としても良い。
【００７０】
（その他）
以上に示した第１及び第２実施形態においては、光ディスク装置は、ＤＶＤとＨＤ−ＤＶＤのみを記録再生する構成としているが、これに限定されず、ＣＤやＢＤ（ブルーレイディスク）等も記録再生可能な光ディスク装置であっても構わない。この場合には、ＤＶＤとＨＤ−ＤＶＤとの判別に本発明が適用され、その他の判別にはフォーカスエラー信号のＳ字波形の発生タイミングを用いて判断する構成等としても構わない。また、本発明は、再生専用の光ディスク装置にも、もちろん適用可能である。
【００７１】
更に、本発明は現行においては、ＤＶＤとＨＤ−ＤＶＤとの判別に適用されるが、これに限定される趣旨ではなく、ＤＶＤとＨＤ−ＤＶＤのように、記録層を保護する保護層の厚みが同一で、一方は記録層の記録密度が全ての領域において同一で、他方は、記録密度が異なる２種の領域を有するような光ディスクの判別に、本発明は適用可能である。
【産業上の利用可能性】
【００７２】
本発明の光ディスクの判別方法は、記録層を保護する保護層の厚みが同一であるＤＶＤとＨＤ−ＤＶＤの判別を、光源の切り換えを行わずに正確に行えるために有用である。
【図面の簡単な説明】
【００７３】
【図１】は、本発明の光ディスクの判別方法が適用される第１実施形態の光ディスク装置の構成を示すブロック図である。
【図２】は、第１実施形態の光ディスク装置が備える光ピックアップの光学系を示す概略図である。
【図３】は、光ピックアップが備える光検出器の検出面の構成を示す平面図である。
【図４】は、光ディスクの記録層の構成例を示す概略平面図である。
【図５】は、第１実施形態の光ディスク装置において、光ディスクの種類を判別する手順を示すフローチャートである。
【図６】は、本発明の光ディスクの判別方法が適用される第２実施形態の光ディスク装置の構成を示すブロック図である。
【図７】は、第２実施形態の光ディスク装置において、光ディスクの種類を判別する手順を示すフローチャートである。
【符号の説明】
【００７４】
１、５１        光ディスク装置
１４            光ディスク
１４ａ          記録層
１４ｂ          保護層
１５            ディスク判別部
２１            第１光源（ＨＤ−ＤＶＤ用の光源）
２２            第２光源（ＤＶＤ用の光源）
２６            対物レンズ
２９            光検出器（光検出部）
３１            リードインエリア（第２の領域）
３２            データエリア（第１の領域）
【図１】
2008090929.tif 000003
【図２】
2008090929.tif 000004
【図３】
2008090929.tif 000005
【図４】
2008090929.tif 000006
【図５】
2008090929.tif 000007
【図６】
2008090929.tif 000008
【図７】
2008090929.tif 000009